(57)【要約】【課題】  プレイヤー個人の意図がゲーム上の行動決定に反映されると共に、他のプレイヤーとの関わり合いを通じて複数プレイヤーの対戦によるゲーム戦略上の醍醐味を味わうことができるゲーム装置の提供。【解決手段】  ゲームの進行に関する複数の情報からなる情報群に含まれる個々の情報をランダムに複数のプレイヤーに分配し、個々の情報を表すキャラクタ４１，４２，４３，４４を可視表示するに際し、選択段階にあるプレイヤーＡに分配されたキャラクタ４１に対応する情報の内容を明示して行動選択用情報群表示部４０に可視表示する一方、選択段階にない他のプレイヤーＢ，Ｃ，Ｄに分配されたキャラクタに対応する情報の内容を明示しないで可視表示する。選択段階にあるプレイヤーによってキャラクタが一つ選択されると、そのキャラクタに対応する情報を選択済情報とし、そのキャラクタに対応する情報の内容を明示して選択済情報群表示部５０に可視表示する。【選択図】        図５
2006006985.tif 000002
【特許請求の範囲】
【請求項１】
ゲームに参加している複数のプレイヤーの各々によって、該ゲームの進行に関する複数の情報からなる情報群から一つの情報が順次選択されることにより、当該選択された情報の内容に基づき行動が決定され、ゲームを進行させるゲーム装置において、
前記情報群に含まれる個々の情報を、ランダムに前記複数のプレイヤーに分配する分配手段と、
前記分配手段により前記複数のプレイヤーに分配された個々の情報を表すキャラクタを、前記複数のプレイヤー毎に区分して前記複数のプレイヤーの各々に対し可視表示するに際し、前記情報を表すキャラクタのうち、選択段階にあるプレイヤーに分配された前記情報を表すキャラクタに対応する情報の内容を明示して行動選択用情報群表示部に可視表示するとともに、選択段階にない他のプレイヤーに分配された情報を表すキャラクタに対応する情報の内容を明示しないで前記行動選択用情報群表示部に可視表示する、行動選択用情報群表示手段と、
前記行動選択用情報群表示手段により前記複数のプレイヤーの各々に対し可視表示された前記情報を表すキャラクタ及び前記情報の内容を明示したキャラクタのうち、一つのキャラクタを順次選択するために前記プレイヤーの各々により操作される操作部と、
前記操作部の操作によりキャラクタが選択されたとき、当該選択されたキャラクタに対応する情報を選択済情報とし、かつ当該選択されたキャラクタに対応する前記情報の内容を明示して選択済情報群表示部に可視表示する選択済情報群表示手段と、
を具備することを特徴とするゲーム装置。
【請求項２】
前記操作部として、前記複数のプレイヤーと同数のコントローラを備え、前記複数のコントローラの各々は、前記プレイヤーが操作する操作手段を有し、前記選択段階にあるプレイヤーによる当該操作手段の操作によって前記一つのキャラクタが選択されることを特徴とする請求項１記載のゲーム装置。
【請求項３】
前記操作部における操作に応じて、前記行動選択用情報群表示手段により前記行動選択用情報群表示部に可視表示されている個々の情報を表すキャラクタのうち自己に分配された情報を表すキャラクタの配置状態を変更する位置変更手段をさらに具備することを特徴とする請求項１または２記載のゲーム装置。
【請求項４】
ゲームに参加している複数のプレイヤーの各々によって、該ゲームの進行に関する複数の情報からなる情報群から一つの情報が順次選択されることにより、当該選択された情報の内容に基づき行動が決定され、ゲームを進行させるゲーム装置におけるゲームの進行方法であって、
前記ゲーム装置は、分配手段と、行動選択用情報群表示手段と、操作部と、選択済情報群表示手段とを備え、
前記分配手段によって、前記情報群に含まれる個々の情報をランダムに前記複数のプレイヤーに分配し、
前記第１の行動選択用情報群表示手段により、前記分配手段により前記複数のプレイヤーに分配された個々の情報を表すキャラクタを、前記複数のプレイヤー毎に区分して前記複数のプレイヤーの各々に対し可視表示するに際し、前記情報を表すキャラクタのうち、選択段階にあるプレイヤーに分配された前記情報を表すキャラクタに対応する情報の内容を明示して行動選択用情報群表示部に可視表示するとともに、選択段階にない他のプレイヤーに分配された情報を表すキャラクタに対応する情報の内容を明示しないで前記行動選択用情報群表示部に可視表示し、
前記操作部における操作によって、前記行動選択用情報群表示手段により前記複数のプレイヤーの各々に対し可視表示された前記情報を表すキャラクタ及び前記情報の内容を明示したキャラクタのうち、一つのキャラクタが順次選択された場合に、前記選択済情報群表示手段によって、前記操作部の操作により選択されたキャラクタに対応する情報を選択済情報とし、かつ当該選択されたキャラクタに対応する前記情報の内容を明示して選択済情報表示部に可視表示することを特徴とするゲームの進行方法。
【請求項５】
ゲームに参加している複数のプレイヤーの各々によって、該ゲームの進行に関する複数の情報からなる情報群から一つの情報が順次選択されることにより、当該選択された情報の内容に基づき行動が決定され、ゲームを進行させるためにコンピュータを、
ゲームの進行に関する複数の情報からなる情報群に含まれる個々の情報を、ランダムに複数のプレイヤーに分配する分配手段と、
前記分配手段により前記複数のプレイヤーに分配された個々の情報を表すキャラクタを、前記複数のプレイヤー毎に区分して前記複数のプレイヤーの各々に対し可視表示するに際し、前記情報を表すキャラクタのうち、選択段階にあるプレイヤーに分配された前記情報を表すキャラクタに対応する情報の内容を明示して行動選択用情報群表示部に可視表示するとともに、選択段階にない他のプレイヤーに分配された情報を表すキャラクタに対応する情報の内容を明示しないで前記行動選択用情報群表示部に可視表示する、行動選択用情報群表示手段と、
操作部における操作により、前記行動選択用情報群表示手段により前記複数のプレイヤーの各々に対し可視表示された前記情報を表すキャラクタ及び前記情報の内容を明示したキャラクタのうち、一つのキャラクタが順次選択された場合に、前記操作部の操作により選択されたキャラクタに対応する情報を選択済情報とし、かつ当該選択されたキャラクタに対応する前記情報の内容を明示して選択済情報表示部に可視表示する選択済情報群表示手段と
して機能させるためのゲーム進行プログラムを記録したコンピュータ読み取り可能な記録媒体。
【発明の詳細な説明】
【技術分野】
【０００１】
本発明は、すごろくゲーム等のボードゲーム、ロール・プレイング・ゲーム（ＲＰＧ）等のようにプレイヤー自らが行動決定を行う要素を含むゲームの進行方法、ゲーム装置等に関する。
【背景技術】
【０００２】
従来より、さいころの出目やルーレットの玉が止まった位置の数字等によって持ち駒を進め、持ち駒が止まった位置に表示されている指示に従ってゲームを進めるすごろくゲームがある。このようなすごろくゲームではさいころの出目やルーレットの玉が止まった位置のように実質的に不規則に発生する事象値を用いるものである。また、六面体のさいころの代わりに「１〜６」の数値を乱数で発生させ、ストップキーが操作されたときに発生した数値をさいころの目の数とする等の方法でさいころの目の数を求めるものもある。
【０００３】
更に、他のすごろくゲームとして、「何マス進む」、「何マス戻る」等のプレイヤーの行動が書かれたカードを予め多数用意して、ゲーム中に各プレイヤーがこれらのカードから意図的に１枚選択して行動を決定しゲームを進行させるものもある。
【０００４】
一方、プレイヤーの操作する主人公のキャラクタ（以下、主人公キャラクタと記す）を仮想の世界で移動させてキャラクタを成長させていくＲＰＧが最近人気を呈している。このようなゲームの一例として、主人公キャラクタの行く手を阻む敵キャラクタと戦闘を行い、戦闘に勝利すると得ることができる経験値を手に入れてキャラクタを成長させながら、ゲームを進行させるものがある。敵キャラクタとの対戦を行う際には、プレイヤーは主人公キャラクタおよび味方キャラクタの行動を逐次操作することになるが、従来のゲームではプレイヤーはこれらのキャラクタの行動制御について予め用意したパターンの中から１つを選択するようになっていた。
【０００５】
このように、従来の行動決定を伴うゲームの機構としては、不規則に発生する事象値による行動の決定若しくは各プレイヤー（あるいは各キャラクタ）の行動パターンの自らの選択による行動の決定、又はこれらの２つを組み合わせたものが主として用いられてきた。
【発明の開示】
【発明が解決しようとする課題】
【０００６】
しかしながら、前記の不規則に発生する事象値による行動の決定では、プレイヤー個人の意図が行動に反映されないという不満があった。一方、行動パターンの選択による行動決定ではプレイヤーの意図が反映されるものの、ゲームに参加している他のプレイヤーとの関わり合いが少なく、複数プレイヤーの対戦によるゲーム戦略上の醍醐味に欠けるものであった。
【０００７】
そこで、本発明の課題は、プレイヤー個人の意図がゲーム上の行動決定に反映されると共に、他のプレイヤーとの関わり合いを通じて複数プレイヤーの対戦によるゲーム戦略上の醍醐味を味わうことができるゲームの進行方法、ゲーム装置、およびゲームの進行方法をゲーム装置に実行させるためのプログラムを読み取り可能に記録した記録媒体を提供することにある。
【課題を解決するための手段】
【０００８】
本発明では以下のように構成することにより前記課題を解決した。以下、本発明について説明する。なお、本発明の理解を容易にするために添付図面の参照符号を括弧書きにて付記するが、それにより本発明が図示の形態に限定されるものではない。
【０００９】
本発明のゲーム装置は、ゲームに参加している複数のプレイヤー（Ａ，Ｂ，Ｃ，Ｄ）の各々によって、該ゲームの進行に関する複数の情報からなる情報群から一つの情報が順次選択されることにより、当該選択された情報の内容に基づき行動が決定され、ゲームを進行させるゲーム装置（ゲーム機１０、コントローラ１１、ＣＲＴ１２）において、
前記情報群に含まれる個々の情報を、ランダムに前記複数のプレイヤーに分配する分配手段（ＣＰＵ１、カード分配手段１０１）と、
前記分配手段により前記複数のプレイヤーに分配された個々の情報を表すキャラクタ（例えば、図５のとおり分配されたカード４１，４２，４３，４４）を、前記複数のプレイヤー（Ａ，Ｂ，Ｃ，Ｄ）毎に区分して前記複数のプレイヤーの各々に対し可視表示するに際し、前記情報を表すキャラクタのうち、選択段階にあるプレイヤー（例えばプレイヤーＡ）に分配された前記情報を表すキャラクタに対応する情報の内容を明示して（例えば、図５のとおり表側にされたカード４１として）行動選択用情報群表示部（例えば、図５の選択用カード表示部４０）に可視表示するとともに、選択段階にない他のプレイヤー（例えばプレイヤーＢ，Ｃ，Ｄ）に分配された情報を表すキャラクタに対応する情報の内容を明示しないで（例えば、図５のとおり裏側にされたカード４２，４３，４４として）前記行動選択用情報群表示部に可視表示する、行動選択用情報群表示手段（スクリーンメモリ８、ＣＲＴ１２）と、
前記行動選択用情報群表示手段により前記複数のプレイヤーの各々に対し可視表示された前記情報を表すキャラクタ及び前記情報の内容を明示したキャラクタのうち、一つのキャラクタを順次選択するために前記プレイヤーの各々により操作される操作部（プレイヤーが操作するコントローラ１１）と、
前記操作部の操作によりキャラクタが選択されたとき（例えば、図５における選択ポイント４５）、当該選択されたキャラクタに対応する情報を選択済情報（選択済情報群として特定されるカード５２）とし、かつ当該選択されたキャラクタに対応する前記情報の内容を明示して（例えば、図５における表側にされたカード５２として）選択済情報群表示部（例えば、図５の選択済カード表示部５０）に可視表示する選択済情報群表示手段（スクリーンメモリ８、ＣＲＴ１２）と、
を具備するゲーム装置である。
【００１０】
また、本発明のゲーム装置は、前記操作部として、前記複数のプレイヤーと同数のコントローラを備え、前記複数のコントローラの各々は、前記プレイヤーが操作する操作手段（例えば、図２に示す十字キー２２、Ｘボタン２３、Ｙボタン２４、Ａボタン２５及びＢボタン２６）を有し、前記選択段階にあるプレイヤー（例えばプレイヤーＡ）による当該操作手段の操作によって前記一つのキャラクタが選択される（例えば、図５における選択ポイント４５の十字キー２２による移動とＡボタンの押下によって確定される）構成とすることができる。
【００１１】
また、本発明のゲーム装置では、前記操作部における操作に応じて、前記行動選択用情報群表示手段により前記行動選択用情報群表示部に可視表示されている個々の情報を表すキャラクタのうち自己に分配された情報を表すキャラクタの配置状態を変更する位置変更手段（例えば、図１に示すＣＰＵ１）をさらに具備するように構成することもできる。
【００１２】
また、本発明のゲームの進行方法は、ゲームに参加している複数のプレイヤーの各々によって、該ゲームの進行に関する複数の情報からなる情報群から一つの情報が順次選択されることにより、当該選択された情報の内容に基づき行動が決定され、ゲームを進行させるゲーム装置におけるゲームの進行方法であって、前記ゲーム装置は、分配手段と、行動選択用情報群表示手段と、操作部と、選択済情報群表示手段とを備え、前記分配手段によって、前記情報群に含まれる個々の情報をランダムに前記複数のプレイヤーに分配し、前記第１の行動選択用情報群表示手段により、前記分配手段により前記複数のプレイヤーに分配された個々の情報を表すキャラクタを、前記複数のプレイヤー毎に区分して前記複数のプレイヤーの各々に対し可視表示するに際し、前記情報を表すキャラクタのうち、選択段階にあるプレイヤーに分配された前記情報を表すキャラクタに対応する情報の内容を明示して行動選択用情報群表示部に可視表示するとともに、選択段階にない他のプレイヤーに分配された情報を表すキャラクタに対応する情報の内容を明示しないで前記行動選択用情報群表示部に可視表示し、前記操作部における操作によって、前記行動選択用情報群表示手段により前記複数のプレイヤーの各々に対し可視表示された前記情報を表すキャラクタ及び前記情報の内容を明示したキャラクタのうち、一つのキャラクタが順次選択された場合に、前記選択済情報群表示手段によって、前記操作部の操作により選択されたキャラクタに対応する情報を選択済情報とし、かつ当該選択されたキャラクタに対応する前記情報の内容を明示して選択済情報群表示部に可視表示することを特徴とするゲームの進行方法である。
【００１３】
また、本発明のゲーム進行プログラムを記録したコンピュータ読み取り可能な記録媒体は、ゲームに参加している複数のプレイヤーの各々によって、該ゲームの進行に関する複数の情報からなる情報群から一つの情報が順次選択されることにより、当該選択された情報の内容に基づき行動が決定され、ゲームを進行させるためにコンピュータを、ゲームの進行に関する複数の情報からなる情報群に含まれる個々の情報を、ランダムに複数のプレイヤーに分配する分配手段と、前記分配手段により前記複数のプレイヤーに分配された個々の情報を表すキャラクタを、前記複数のプレイヤー毎に区分して前記複数のプレイヤーの各々に対し可視表示するに際し、前記情報を表すキャラクタのうち、選択段階にあるプレイヤーに分配された前記情報を表すキャラクタに対応する情報の内容を明示して行動選択用情報群表示部に可視表示するとともに、選択段階にない他のプレイヤーに分配された情報を表すキャラクタに対応する情報の内容を明示しないで前記行動選択用情報群表示部に可視表示する、行動選択用情報群表示手段と、操作部における操作により、前記行動選択用情報群表示手段により前記複数のプレイヤーの各々に対し可視表示された前記情報を表すキャラクタ及び前記情報の内容を明示したキャラクタのうち、一つのキャラクタが順次選択された場合に、前記操作部の操作により選択されたキャラクタに対応する情報を選択済情報とし、かつ当該選択されたキャラクタに対応する前記情報の内容を明示して選択済情報群表示部に可視表示する選択済情報群表示手段として機能させるためのゲーム進行プログラムを記録したコンピュータ読み取り可能な記録媒体である。
【発明の効果】
【００１４】
本発明によれば、ゲームに参加している複数のプレイヤーが、該ゲームの進行に関する複数の情報からなる情報群から一つの情報を選択することによりゲームを進行させるゲームにおいて、情報を表すキャラクタを選択する順番にあるプレイヤーは、自己に分配された内容の分かった安全なキャラクタを選択するか、推測した他のプレイヤーのキャラクタをリスクを負って選択するかを選ぶことができ、ゲーム性に富むものとなる。
また、故意に自分以外の他のプレイヤーのキャラクタを選択して他のプレイヤーの安全かつ意図的な移動の選択肢を奪うこともできるため、複数プレイヤーの対戦によるゲーム戦略上の醍醐味を味わうことができる。
【発明を実施するための最良の形態】
【００１５】
以下、図面を参照して本発明のより好ましい実施形態を説明する。
図１は本発明の一実施例に係るカードすごろくゲーム機のシステム構成を示す具体的なブロック図である。図１において、ゲーム機１０は、演算処理及び制御機能を有するマイクロプロセッサ（以下「ＣＰＵ」という）１を含んでいる。ＣＰＵ１には、システムバス２を介して入出力制御回路３、ワークＲＡＭ４、ＣＤ−ＲＯＭデコーダ５およびスクリーンメモリ８が接続される。入出力制御回路３には、ゲームに参加する人数分のコントローラ１１が接続される。スクリーンメモリ８は、ＣＤ−ＲＯＭから読み取られた画像データを格納し、ＣＲＴ１２に所定の画像を表示する。ワークＲＡＭ４はＣＰＵ１の作業領域として使用される。ＣＤ−ＲＯＭデコーダ５には、ＣＤ−ＲＯＭからプログラムデータ、画像データ等のデータを読み取るためのＣＤ−ＲＯＭドライブ７と読み取ったデータ等を一時的に格納するためのＣＤ−ＲＯＭバッファ６とが接続される。
【００１６】
図２は、本実施例で使用するコントローラの外観を示したものである。このコントローラ１１は、本体２０の中央部に着脱可能で液晶画面を有するビジュアルメモリ２１を有している。また、本体２０の左側には、ＣＲＴ１２、ビジュアルメモリ２１の液晶画面上に表示されるポインタ等の上下左右への移動を指示するキーである十字キー２２が、本体２０の右側には、所定の動作を指示する、Ｘボタン２３、Ｙボタン２４、Ａボタン２５、Ｂボタン２６が配置されている。Ｘボタン２３は自分に配られた複数のすごろく用カードのシャッフルを指示するボタンであり、Ｙボタン２４はすごろくマップ画面とカード選択画面との切り替え等、所定の指示を行う際に使用するボタンである。また、Ａボタン２５はカード選択の実行や確定、Ｂボタン２６は操作のキャンセルを指示するボタンである。また、コントローラ本体２０に装着されたビジュアルメモリ２１の液晶画面は、後述するように自分に配布されたすごろく用カードの内容を自分のみに表示して、他のプレイヤーからはカードの内容が分からないようにするためのものである。
【００１７】
以上のように構成されたカードすごろくゲーム機を使用するには、図１に示したＣＤ−ＲＯＭドライブ７にこのゲームのプログラムが記憶された所定のＣＤ−ＲＯＭ（図示せず）をセットして、プレイヤーの操作によってゲーム機を起動する。これによりＣＤ−ＲＯＭドライブ７がＣＤ−ＲＯＭからプログラムを読み取り、ＣＤ−ＲＯＭデコーダ５がこれを解読する。ＣＰＵ１はシステムバス２を介してゲームを実行するための動作プログラムを読み出し、その動作プログラムの実行を開始する。ＣＲＴ１２上には所定のオープニング画面が表示され、ゲームがスタートする。プレイヤーはＣＲＴ１２上の画面等による指示に従いコントローラ１１の本体２０のキーおよびボタンを操作する。これらのキーおよびボタンからの入力信号は、入出力制御回路３を経由してシステムバス２を介しＣＰＵ１に送られる。
【００１８】
このようなカードすごろくゲーム機におけるゲーム内容について詳しく説明する。
【００１９】
まず、１から６までの数字がそれぞれ書かれたカードを４組と、自己に有利な効果、例えば、「他のプレイヤーからカードを奪うことができる」等の効果を起こさせることができるスペシャルカード３枚、その逆に自己に不利な効果を起こさせるマイナスカード１枚を用意する。これらのカードの種類及び枚数は各プレイヤーに既知のものとする。次にこれらのカードがシャッフルされ、プレイヤー４人にランダムに配られる。
【００２０】
１〜６の数字の書かれたカードは、移動の時はカードに書かれた数だけマスを進め、その他の例えば、相手とのバトルの時には、カードに書かれた数だけサイコロを振ってその合計数により勝敗を決めるようにすることができる。
【００２１】
ＣＲＴ上に表示されるすごろくマップ画面上の特定マスには、「１回休み」、「他人のカードを見ることができる」、「他人からカードを所定枚数奪うことができる」等の特定の効果を発生させる表示が記載されている。
【００２２】
次に、ＣＲＴ１２上でのゲーム画面を図３により詳しく説明する。
図３はカード選択画面の一例であるが、画面３０は、選択用カード表示部４０と選択済カード表示部５０とに大きく二分される。選択用カード表示部４０には４人のプレイヤーＡ、Ｂ、Ｃ、Ｄにそれぞれ分配されたカード４１・・・、４２・・・、４３・・・、４４・・・がそれぞれ横方向に並べられている。現在カードを選択する順番のプレイヤーは一番上に表示されている（図３ではＡ）。画面３０上では選択段階にあるプレイヤーＡに分配されたカード４１・・・は他のプレイヤーＢ〜Ｄにそれぞれ分配されたカード４２・・・、４３・・・、４４・・・と同様に裏側にされており、カードの内容を見ることができないが、プレイヤーＡの手元のコントローラ本体２０に設けられているビジュアルメモリ２１の液晶画面には、図４に示すように、分配されたカード４１・・・が表側にして配置され、分配されたカードの内容が自分だけに分かるようになっている。
【００２３】
一方、図３の画面３０における選択済カード表示部５０においてはその上部にゴミ箱アイコン５１が表示されており、Ａ〜Ｄ４人のプレイヤーによって既に選択された選択済カード５２をカードの種類毎に横方向に並べて配置されている。これより、各プレイヤーは、どのカードが既に何枚選択されたかが分かるようになっている。
【００２４】
図３において、カードを選択する順番のプレイヤーＡは、各プレイヤーに既知の情報となっているカードの種類と枚数を考慮し、ビジュアルメモリ２１の液晶画面に表示されている自分に分配されたカード４１・・・の内容と、画面３０の選択済カード表示部５０に表示された選択済のカードの内容とから、他のプレイヤーＢ〜Ｄに分配されたカード４２・・・、４３・・・、４４・・・の内容を推測し、自己の内容が分かっているカードを使用するか、推測した他のプレイヤーのカードのどれかを使用するかを決定し、コントローラ本体２０の十字キー２２を上下左右に動かすことにより、画面３０上の選択ポイント４５を選択すべきカードのところへ持っていき、Ａボタンを押すことにより選択を確定することができる。
【００２５】
一方、Ｂ〜Ｄの各プレイヤーは、プレイヤーＡによるカード選択中に、自分のカードのうちプレイヤーＡに推測された特定のカードを引かれる確率を低くするために、コントローラー本体２０のＸボタン２３を操作することにより自分のカードをシャッフルすることができる。
【００２６】
プレイヤーＡが自分または他のプレイヤーのカードを選択後、同様にしてＢ〜Ｄのプレイヤーが順番にカードを選択してゲームを進める。カードは選択用カード表示部４０中に配置されているカードが全て無くなるまで補充されない。選択順番のプレイヤーは、コントローラ本体２０のＹボタン２４を押して、任意に図３に示したカード選択画面からすごろくマップ画面（図示せず）へと切り替えて、各プレイヤーの現在位置を把握し、ゴールまでのマス目数や途中で止まるべきマス目までの数を考慮して、選択すべきカードの内容を考えることができる。
【００２７】
上記のように、カードを選択する順番にあるプレイヤーは自己の内容の分かった安全なカードを引くか、推測した他人のカードをリスクを負って引くかを選択することができ、ゲーム性に富むものとなる。
【００２８】
また、故意に自分以外の他のプレイヤーのカードを選択して他のプレイヤーの安全かつ意図的な移動の選択肢を奪うこともできる。特に、カードはプレイヤー全員が使い切るまで補充されないため、自分に分配されたカードを使い切ってしまったプレイヤーは、他のプレイヤーに分配されたカードから選択するしかなくなり、移動の選択肢が大幅に制限されることとなる。このため、複数プレイヤーの対戦によるゲーム戦略上の醍醐味を味わうことができる。
【００２９】
更に、カードを選択する順番ではないプレイヤーは、コントローラー本体２０のＸボタン２３を操作して自分のカードをシャッフルすることにより、選択順番のプレイヤーに推測された特定のカードを引かれる確率を低くすることができるため、複数プレイヤー対戦による醍醐味を一層味わうことができる。
【００３０】
次に、本発明のカードすごろくゲーム機の別の実施例として、図２に示すコントローラー本体２０においてビジュアルメモリ２１を具備しないものを用いることができる。この場合は、図５に示すように、ＣＲＴ１２上の画面３０の選択用カード表示部４０において、選択段階にあるプレイヤーＡに分配されたカード４１・・・は表側の状態で配置されるものとなり、他のプレイヤーからもカードの内容が見ることができるものとなる。
【００３１】
この実施例においては選択順番にあるプレイヤーＡに分配されたカードは他のプレイヤーＢ〜Ｄからも見ることができるため、プレイヤーＢ〜ＤはプレイヤーＡに分配されたカードの内容を把握しておくことにより、自分が選択順番のときにカード選択する際の参考とすることができる。一方、他のプレイヤーは、自分のカードの内容が相手に把握されることによる不利益を緩和するため、コントローラー本体２０のＸボタン２３を操作することにより自分のカードをシャッフルすることができる。
【００３２】
図６は、本発明の一実施例の動作例を説明するためのフローチャート、図７は、ＣＰＵの機能ブロックを示す図である。ＣＰＵ１はゲーム起動指示を受け、カード分配手段１０１により行動選択用カードの群から各プレイヤーへカードを配布する（ステップＳ１）。次に各々のプレイヤーは、画面上に表示された、分配された自分のカード群の内容と選択済カード群とから他人のカード内容を類推し、自分のカードと推測した他人のカードの内容を比較検討する（ステップＳ２）。検討の結果、他人のカードより自分のカードの方がよいと判断した場合は、自分のカードを選択する（ステップＳ３）。逆に確率的に自分のカードを選択するより他人のカードを選択する方がよいと判断した場合には、他人のカード中からカードを選択する（ステップＳ４）。ゲーム進行手段１０２により選択したカードに書かれた数だけマスを進め、止まったマスの種類に応じたバトル、ミニゲーム等を行い、すごろくゲームを進行させる（ステップＳ５）。この後、ゲーム終了判定手段１０３によりゲーム終了か否かが判定され（ステップＳ６）、終了していない場合はステップＳ７に進み、カード枚数判定手段１０４により全員に配布されたカードが無くなったか否かが判定される。カードが無くなった場合には、ステップＳ１に戻って各プレイヤーにカードを配布し、ゲームを続行する。一方、カードが無くなっていない場合にはステップＳ２に戻ってゲームを続行する。また、ステップＳ６でゲーム終了判定手段１０３によりゲームが終了したと判断された場合にはＥＮＤとなる。
【００３３】
なお、上記実施例において、ゲームに参加するプレイヤー数は４人としたが、複数人であればよく、特に人数については問わない。また、参加するプレイヤー全員が１カ所に集まってプレイする形態だけでなく、通信対戦ゲームのようにネットワーク接続により遠隔地のプレイヤー同士が対戦する形態にも利用できる。
また、本実施例においては分配されるカードの種類及び枚数の双方を各プレイヤーに既知のものとしたが、どちらか一方のみを既知としたり、カードのうちの何割かの種類と枚数のみを既知とすることもできる。更に、本実施例においてはすごろくゲーム機について説明したが、本発明の行動決定を伴うゲーム方法及びゲーム装置はこれのみに限定されるものではなく、他のボードゲーム、ＲＰＧゲーム等の行動決定を行う要素を含むゲーム全般に利用することができる。
【００３４】
以上のように、本発明によれば、各々のプレイヤーは自己に分配された内容の分かった情報を選択するか、推測した他のプレイヤーの情報をリスクを負って選択するかを自ら決定することができるため、プレイヤー個人の意図を行動に反映することができるだけでなく、不確定な要素を利用することによりゲーム性に富むものとなる。
【００３５】
また、故意に自分以外の他のプレイヤーの情報を選択して他のプレイヤーの安全かつ意図的な選択肢を奪うこともできるため、複数プレイヤーの対戦によるゲーム戦略上の醍醐味を味わうことができる。
【図面の簡単な説明】
【００３６】
【図１】本発明の一実施例に係るカードすごろくゲーム機のシステム構成の一例を示す具体的なブロック図である。
【図２】本発明の一実施例に用いるコントローラの一例を示す概略図である。
【図３】本発明の一実施例に係るゲーム機のゲーム画面の一例を示す図である。
【図４】本発明の一実施例に係るゲーム機のコントローラに設けられたビジュアルメモリの画面の一例を示す図である。
【図５】本発明の別の実施例に係るゲーム機のゲーム画面の一例を示す図である。
【図６】本発明の一実施例に係るカードすごろくゲーム方法の動作例を説明するためのフローチャートである。
【図７】本発明の一実施例に係るゲーム機のＣＰＵの機能を示すブロック図である。
【符号の説明】
【００３７】
１１  コントローラ（情報選択手段）
２０  コントローラ本体（情報選択手段）
２１  ビジュアルメモリ（行動選択用情報群表示部）
２２  十字キー（情報選択手段）
２５  Ａボタン（情報選択手段）
４０  選択用カード表示部（行動選択用情報群表示部）
４１・・・    分配されたカード（部分情報群）
４２・・・    分配されたカード（部分情報群）
４３・・・    分配されたカード（部分情報群）
４４・・・    分配されたカード（部分情報群）
５０  選択済カード表示部（選択済情報群表示部）
５２・・・    選択済カード（選択済情報群）
１０１  カード分配手段
【図１】
2006006985.tif 000003
【図２】
2006006985.tif 000004
【図３】
2006006985.tif 000005
【図４】
2006006985.tif 000006
【図５】
2006006985.tif 000007
【図６】
2006006985.tif 000008
【図７】
2006006985.tif 000009